(57)【要約】      （修正有）【課題】次期日本経済  一極集中から地方分権対応の為に世界中のホームページを統一し、容易に一元化し、全国でも全国通信網、世界通信網を開発することを可能とする技術を提供する。【解決手段】国家論世界統一ホームページは、プログラムの修正を伴うことなくロジックテーブルにパラメータを入力することで開発を行い、多種多様なホームページを統合ファイル（テキストファイル）で標準化文字にし、また、プリントテーブルにパラメータを入力することによりファイル作成を容易にする。【選択図】図２
2008003903.tif 000002
【特許請求の範囲】
【請求項１】
次期日本経済  一極集中から地方分権に対応して、世界中のホームページ  並びに  テキストファイルを統一して、一元的に容易に世界、全国でインターネット全国通信網（ＮＴＴイメージ）、インターネット世界通信網（ＫＤＤＩイメージ）を開発するシステム構築、システム開発、システム管理、システム保守、又はシステム運用を行うために用いられる国家論  世界統一ホームページであって、多種多様なホームページに対応する為にはプログラム修正するのではなく、外部テーブル（ＤＢ）にパラメータを入力することによりプログラムを制御する開発方法  ならびに開発期間を短縮する開発方法。  
【請求項２】
請求項１記載の国家論  世界統一ホームページはロジックテーブル（ＤＢ）にパラメータを入力することにより、プログラムの修正を伴うことなく行えるインターネット全国通信網（ＮＴＴイメージ）、インターネット世界通信網（ＫＤＤＩイメージ）のシステム開発方法。
【請求項３】
請求項１〜２いずれか記載の国家論  世界統一ホームページは多種多様なホームページを統合ファイル（テキストファイル）で標準化文字にして、プログラム作成を容易にするインターネット開発手法。
【請求項４】
請求項１〜３いずれか記載の国家論  世界統一ホームページはプリントテーブル（ＤＢ）にパラメータを入力することにより、ファイル作成を容易に行い、プログラム作成を容易にするインターネットシステム開発方法。
【請求項５】
請求項１〜４いずれか記載の国家論  世界統一ホームページは、作成したＵＲＬテーブルを読めば、メール番号、ＩＰ電話番号、ＵＲＬ，ｆａｘ，電話番号等が分りインターネット通信が容易となるインターネット開発方法。
【発明の詳細な説明】
【技術分野】
【０００１】
本発明は、次期日本経済  一極集中から地方分権対応の為に世界中のホームページを統一し、一元的に効率良くインターネット全国通信網（ＮＴＴイメージ）、インターネット世界通信網（ＫＤＤＩイメージ）を開発するシステム構築、システム開発、システム管理、システム保守、又はシステム運用を行うために用いられる国家論  世界統一ホームページを用いたシステム開発方法並びにシステム管理方法に関する。なお、本発明の国家論  世界統一ホームページは、業務に関係なくあらゆるホームページに適用することができるものである。
【背景技術】
【０００２】
従来世界中のホームページを統一してインターネット全国通信網（ＮＴＴイメージ）、インターネット世界通信網（ＫＤＤＩイメージ）、又  システムを開発するには、ホームページがあまりに数が多く、また  開発費がかかる為、開発は考えられなかった。  
【０００３】
【特許文献１】特開２００３−１７７９１４号公報
【０００４】
また近年、ますますホームページの数は年々ふえてきている。
【０００５】
しかしながら、現在までに世界中のホームページを統一して一元化して次期日本経済  地方分権対応の為に全国でインターネット全国通信網（ＮＴＴイメージ）、世界でインターネット世界通信網（ＫＤＤＩイメージ）、又  システム開発するには至っていない。
【０００６】
一方、最近における日本経済は地方分権の問題は年々ふえてきており、無駄なお金をかけず全国でインターネット全国通信網（ＮＴＴイメージ）、インターネット世界通信網（ＫＤＤＩイメージ）のシステムを開発をするという方法がますます必要になる。
【０００７】
他方、無駄なお金をかけず全国でインターネット全国通信網（ＮＴＴイメージ）、インターネット世界通信網（ＫＤＤＩイメージ）、又  システムを開発する方法について種々提案されているが、いずれも十分なものではなかった。
【０００８】
他方、無駄なお金をかけず全国でインターネット全国通信網（ＮＴＴイメージ）、インターネット世界通信網（ＫＤＤＩイメージ）、又  システムを開発する方法について種々提案されているが、いずれも十分なものではなかった
【０００９】
このように、現在までに提案されている全国通信網（ＮＴＴイメージ）、世界通信網（ＫＤＤＩイメージ）、又  システムの開発方法（システム保守、システム運用も含む）は、誰にも（管理職、担当者、保守する者）わかりやすく、システム開発期間を短縮化できるものではなく、信頼性、可用性、保守性、安定性、及び安全性を有するシステムを達成する上において多くの課題を抱えており、いまだ、十分満足できるものが提供されていないのが現状である。
【発明の開示】
【発明が解決しようとする課題】
【００１０】
しかしながら、以上の技術によれば、開発費をあまりかけずインターネット通信網を利用して、全国通信網、世界通信網、並びに  ソフト開発するこという方法は全国，世界では考えられなかった。
【００１１】
そこで、本発明は、世界中のホームページの統一を容易にして次世代  次期日本経済のインターネット全国通信網（ＮＴＴイメージ）、インターネット世界通信網（ＫＤＤＩイメージ）、並びにシステム開発することを提供することを課題とする。
【課題を解決するための手段】
【００１２】
以上の課題を解決するために、第一発明は、プログラム修正はなく外部テーブル（ＤＢ）でプログラムを制御する機能を設けたことを特徴とするシステムである。
【００１３】
また、第二発明は、ロジックテーブル（ＤＢ）に多種多様なホームページを制御する機能を設けたことを特徴とするシステムである。
【００１４】
また、第三発明は、多種多様なホームページをテキストファイルレコードで標準化し、プログラム処理が容易になるように、結合ファイル（テキストファイル）に出力し、結合ファイルを読めば、プログラム作成が容易になり、おのずから全国、世界でもインターネットシステム開発が容易に可能となることを特徴とするシステムである。
【００１５】
また、第四発明は、プリントテーブルを設けたことで有る。作成したプリントテーブルを読めば、多種多様なレコードを１レコードフォーマットに標準化して作成し、プログラム作成を容易したことで有り、おのずから全国、世界でもインターネットシステム開発が可能となることを特徴とするシステムである。
【００１６】
また、第五発明は、ＵＲＬテーブルを設けたことで有る。作成したＵＲＬテーブルを読めば、メール番号、ＩＰ電話番号、ＵＲＬ，ｆａｘ，電話番号等が分りインターネット通信が可能となることを特徴とするシステムである。
【発明の効果】
【００１７】
以上説明したように、本発明の国家論  世界統一ホームページによれば、下記の今までにない効果を奏するものである。
【００１８】
国家論  世界統一ホームページに外部テーブル（ＤＢ）を、特にロジックテーブル（ＤＢ）を設けたことにより、外部テーブル（ＤＢ）を修正することにより、面倒なプログラムの修正・変更なしに、又は必要最小限度のプログラム修正のみでシステム開発、システム運用、システム保守及びシステム管理における不具合を修正することができ、容易にインターネット全国通信網（ＮＴＴイメージ）、インターネット世界通信網（ＫＤＤＩイメージ）ができ、おのずから  インターネットシステムを開発することが容易になる。
【００１９】
国家論  世界統一ホームページに結合ファイルを、設けたことにより、入力のホームページを読込み、結合ファイルを１レコードに簡略したことにより、結合ファイルを入力とすれば、プログラムの簡略が可能になり、おのずから  インターネットシステムを世界、全国で開発することが容易になる。
【００２０】
国家論  世界統一ホームページにプリントテーブル（ＤＢ）を、設けたことにより、プリントテーブルを入力とし、出力のファイルが簡単に標準化でき、プログラムの簡略が可能になり、おのずから  インターネットシステムを世界、全国で開発することが容易になる。
【００２１】
次世代  次期日本経済のインターネット開発通信網ができ、これから容易に全国でインターネット全国通信網開発（ＮＴＴイメージ）が可能になる。
【００２２】
次期日本経済  地方分権の時代の合従連合に必要な次世代のインターネット全国通信網（ＮＴＴイメージ）、インターネット世界通信網（ＫＤＤＩイメージ）が開発でき、日本経済が大きく前進する。
【００２３】
世界に次世代のインターネット開発通信網ができ、これから容易に世界通信網開発（ＫＤＤＩイメージ）が可能になる。
【００２４】
全国、世界中で同等な条件でシステム開発が可能になり、ブロードバンド時代の幕開けとなる。
【００２５】
次世代  次期日本経済は道路主体の政策からインターネット通信網主体の政策に日本経済は大きく変貌する。
【００２６】
米国ＮＡＳＡが軍事使用目的で開発した通信網のインターネット通信はＮＴＴ，ＫＤＤＩより優れた丈夫な通信網であることが分る。
【００２７】
米国ＮＡＳＡが軍事使用目的で開発した通信網のインターネット通信はＮＴＴ，ＫＤＤＩより開発費も使用料も安い通信網であることが分る。
【００２８】
米国ＮＡＳＡが軍事使用目的で開発した通信網のインターネット通信はＮＴＴ，ＫＤＤＩより断然使いかってが有り、仕事にも断然有利で有る事が分る。
【００２９】
全国通信網、世界通信網ができ、日本の販売方法が大きく変わりデフレ経済脱却（昭和３９年１１月戦後初の赤字国債発行）となる。
【００３０】
全国の経済格差、情報量不足がなくなる。
【００３１】
次世代  次期日本経済  一極集中から地方分権の時代が早く進み、おのずから早く日本経済が安定し、繁栄の時代が長く続く。
【００３２】
次世代  次期日本経済  地方分権の時代は流行は全国各地から生れる時代となる。
【００３３】
パラメータ方式なのでシステム開発期間を大幅に短縮し、開発予算が少なくてすることができる。
【００３４】
これからの通信網産業として全国に派生する。
【００３５】
日本経済  一極集中から地方分権対応の為に全国でもインターネット全国通信網（ＮＴＴイメージ）、インターネット世界通信網（ＫＤＤＩイメージ）の容易に開発ができる。
【００３６】
システム全体の把握が容易であり、品質の向上を図ることができる。
【００３７】
システム構築を一元管理することができる（調査分析→基本設計→詳細設計（プログラム設計）→プログラミング→単体テスト→結合テスト→本番→保守→サービスの対応（機能追加）までを含む）。
【００３８】
システムに対する信頼性、可用性（使いやすい）、及び保守性が向上する。
【００３９】
システム開発及びシステム構築を効率良く行うことができる。例えば、統合ファイル（図３０）を読んで何かの処理をしたい時、国家論  世界統一ホームページで統合ファイルが一元化され、無限のホームページが標準化されたレコードなので、詳細設計（プログラム設計）が正確にやり易くなる。その結果としてプログラミングも正確に組み易くなり、単体テストが行い易くなり、更に、結合テストがやり易くなるという効果がある。
【００４０】
だれにも（管理職、担当者、保守する者）わかり易く、サービスの追加（機能追加）も容易に行うことができ、自ずから国際品質規格ＩＳＯ９０００系及び国際環境規格ＩＳＯ１４０００系を取得し易くなるという効果を有する。
【００４１】
全国で行える全国通信網、世界通信網、システム開発は日本経済の技術革新。
【００４２】
全国電話代が誓い放題にならないかぎり情報不足が発生し、商売に影響する。その為に使い放題のＩＰ電話、ＩＰ−ｆａｘｉｐが必要となる。
【００４３】
プロバイダ資格も取得が可能になる。
【００４４】
堺屋  太一内閣特別顧問も言っている、東京は世界の大都市を目差すべだと、目差すためには全国、世界中で同等な条件でシステム開発ができる通信網が必要になる。ＮＴＴ，ＫＤＤＩでは使いかってがなく、又  開発費も高いし、使用料金も高い、一方  米国ＮＡＳＡ開発のインターネット通信網は堺屋  太一内閣特別顧問のような人は必要になる。安くて、丈夫で長持ちする米国ＮＡＳＡ開発の実戦タイプのインターネット通信網のシステム開発するしかない、又  全国もまた同じで通信網の開発。
【００４５】
米国ＮＡＳＡが軍事目的で開発したインターネット（クモの巣）はティム バーナーズ・リー 博士（昭和３１年生れ）によって世界に発信されたＷＷＷは、本発明  国家論  世界統一ホームページ）によって世界中のホームページが一元化に統一され、全国、世界中で同等な条件で世界通信網、全国通信網、システム開発が可能になる。
【００４６】
本発明  国家論  世界統一ホームページは戦後最悪のデフレ経済脱却（昭和３９年１１月戦後初の赤字国債発行）の次世代  次期日本経済  地方分権対応の為に発明された全国、世界中で同等な条件で開発できるシステム。
【００４７】
次世代用として全国、世界中でも開発できる、優れた通信網。もちろんインフレにも強く、丈夫で安くて災害にも強く、長持ちして、全国、世界中で同等な条件でソフト開発も自由自在にできる。
【発明を実施するための最良の形態】
【００４８】
図面に基づいて、本発明の実施の形態を説明する。
【実施例】
【００４９】
図１は、本発明の概念と作用を示す図である。
【００５０】
同図に示すように、本システムの概念は、
（１）IT国家統一ホームページ処理（Ｓ１０）で入力ファイルテーブル（図１７）のフォルダ単位でホームページ、テキストファイルを読み、各テーブル（振り分けテーブル、読み飛ばし項目テーブル、読み飛ばしテーブル、先頭識別テーブル、コードテーブル、項目変換テーブル、ｈｔｔｐ変換テーブル、ロジックテーブル等）の存在チェックを行い、存在する時は、業務テーブル（図２３）の更新、ＵＲＬ格納テーブル（図２７）の更新、プリントテーブル（図３５）の更新を行い、また  統合ファイル（図３０）、ＩＴ国家統一ホームページファイル（図３３）を作成する。
（２）ＩＴ国家通信網処理（Ｓ２０）でプリントテーブル（図３５）を読み、業務テーブル（図２３）を読み、郵便番号が未入力の時は、郵便番号テーブルを読み、ＵＲＬテーブル（図３７）、採番テーブル（図３８）、連絡テーブル（図３７）、ＩＴ国家通信網ｆｉｌｅ（図３６）を作成する。
（３）ＩＴ国家ホームページ作成処理（Ｓ３０）でＵＲＬテーブル（図３７）を確認しながら、また  連絡テーブル（図３７）で確認しながら、ＩＴ国家ホームページ作成を行い、ＩＴ国家統一ホームページ公開（Ｓ４０）を行う。
（４）なお  インターネットソフト開発処理（Ｓ５０）でテキストファイルの結合ファイル（図３０）を読み、インターネットソフト開発を行い、ＩＴ国家統一ホームページ作成（Ｓ３０）を行い、ＩＴ国家統一ホームページ公開（Ｓ４０）を行う。
【００５１】
なお、テーブルとはＤＢ（ＲＤＢ）であり、ファイルとはテキストファイルである。
【００５２】
なお、ホームページがテキストファイルにダウンロードできるホームページが処理対象となります。
【００５３】
また、便宜上  ｈｔｔｐファイル、ｅｍａｉｌファイル，ＩＰ電話番号ファイル，電話番号ファイル，ｆａｘファイル，ＩＰ−ｆａｘファイル，住所ファイルは同一フォーマットなので、ＩＴ国家統一ホームページファイル（図３３）とする。
【００５４】
また、便宜上  ｅｍａｉｌｆｉｌｅ，ＩＰ電話番号ｆｉｌｅ，電話番号ｆｉｌｅ，ｆａｘｆｉｌｅ，ＩＰ−ｆａｘｆｉｌｅ、住所ｆｉｌｅは同一フォーマットなので、ＩＴ国家通信網ｆｉｌｅ（図３６）とする。
【００５５】
図２は、本発明のＩＴ国家統一ホームページの概論を示した図である。
【００５６】
同図に示すように，本システムは入力ファイルとしてホームページ、テキストファイル，外部テーブル（ＤＢ）として，入力ファイルテーブル（図１７），プリントテーブル（図３５）、ロジックテーブル（図２６），項目変換テーブル（図２４），読み飛ばし項目テーブル（図２２），ｈｔｔｐ変換テーブル（図２８），項目変換ファイル，コードテーブル（図２５），振り分けテーブル（図１９），読み飛ばしテーブル（図２０），先頭識別テーブル（図２１）を有して、出力ファイルとしてテキストファイルの，統合ファイル（図３０）、ＩＴ国家統一ホームページファイル（図３３）を有している。
【００５７】
ＩＴ国家統一ホームページ（１００）で入力ファイルテーブル（図１７）に格納されているフォルダ名、ファイル名でホームページ、または  テキストファイルを読み、各テーブル（振り分けテーブル、読み飛ばし項目テーブル、読み飛ばしテーブル、先頭識別テーブル、コードテーブル、項目変換テーブル、ｈｔｔｐ変換テーブル、ロジックテーブル等）の存在チェックを行い、存在する時は、業務テーブル（図２３）の更新、ＵＲＬ格納テーブル（図２７）の更新を行い、ＩＴ国家統一ホームページファイル（図３３）、統合ファイル（図３０）を出力する。
【００５８】
インターネットソフト開発（１００ｂ）でテキストファイルの統合ファイル（図３０）を読み、インターネットソフト開発を行う。
【００５９】
プリントテーブル作成（１００ａ）でＩＴ国家統一ホームページファイル（図３３）を読み、業務テーブル（図２３）を読み、パラメータ番号でファイル判定をして、プリントテーブル（図３５）を更新する。ようするにパラメータ番号分、プリントテーブルが作成される。
【００６０】
ＤＢとは使いやすいＲＤＢ（リレーショナル・デーダベース）を対象にしております。
【００６１】
また  ホームページとはｈｔｍｌ，ｈｔｍで作成したホームページです。
【００６２】
以外のホームページはテキストファイルにダウンロードして行う。
【００６３】
また  キーとして副キーも持つことももちろん可能ですが、ここでは省略させて、もらいます。
【００６４】
図２を図３に分割したのは（プログラム分割）分りやすくする為で、統合して１システムにすることも可能で、ＩＴ国家通信網（２００）、ＩＴ国家ホームページ（１００）も統合して１システムにすることも、可能。
【００６５】
図３は、本発明のＩＴ国家統一ホームページプロセスフローを示した図である。
【００６６】
ホームページ選択処理（Ｓ１０１）で処理ホームページを選択する。
【００６７】
ホームページ読込処理（Ｓ１０２）で入力ファイルテーブル（図１７）に格納されているフォルダ名、ファイル名でホームページ、テキストファイルを読込み、テキストファイルに出力する。
【００６８】
振り分け処理（Ｓ１０３）の同一処理でホームページが複数ある時（例としてハローワーク）に、ホームページの振り分けして、どのホームページの識別をする。
【００６９】
読み飛ばし処理（Ｓ１０４）で無意味なレコードは読み飛ばす。
【００７０】
結合処理（Ｓ１０５）でプログラムで使用しやすいようにヘッタ単位にレコードの結合する。
【００７１】
ファイル編集処理（Ｓ１０６）で、ＩＴ国家統一ホームページファイル（図３３）を作成して、業務テーブル（図２３）、ＵＲＬ格納テーブル（図２７）を更新する。
【００７２】
プリントテーブル作成（Ｓ１０７）の時、プリントテーブル作成（Ｓ１００ａ）を行う、プリント作成でない時、インターネットソフト開発（Ｓ１００ｂ）を行う。
【００７３】
なお，本システムを本実施前には。入力するホームページはダウンロードしておき  又は  PDFファイル，ＩＰＤＬファイルはソフトがない時は、テキストファイルにダウンロードしておく。  ＪＩＳコードでダウンロードして文字コードを共通化する。
【００７４】
本システム処理前に入力ファイルテーブルは作成しておく。  図１０に記載。
【００７５】
都道府県・区市町村ホームページを読み、入力ファイルテーブル（図１７）と都道府県・区市町村テーブル（本システムでは使用しない）を作成する。なお  都道府県・区市町村でなくて地方公共団体コード住所一覧（郵便局使用）の団体コードを使用すれば全国共通のコードになるが本発明では分り易くするため、都道府県・区市町村ホームページで説明。
【００７６】
本システム処理前に入力ファイルテーブル（図１７）の業務番号の条件が有れば、業務テーブル（図２３）の振り分けテーブルキー、読み飛ばしテーブルキー、先頭識別テーブルキーのどれかのキーを設定する。
【００７７】
本システム処理前に業務テーブルは作成しておく。  図１３に記載。
【００７８】
業務を選択して入力ファイルテーブル（図１７）を読み、業務テーブル（図２３）を読み、業務番号最大値を求めて＋１して、業務テーブル（図２３）を更新して、同時に入力ファイルテーブル（図１７）の業務番号を設定して、更新する。
【００７９】
本システムの入出力ファイルレイアウイメージの説明である。
【００８０】
図１７に入力ファイルテーブルレイアウイメージを記載。
【００８１】
国番号，県番号，市番号，パラメータ番号，シーケンス番号をキーとするＤＢである。読むホームページ、テキストファイルのフォルダ名、ファイル名、業務番号が格納されている。
【００８２】
図１８にテキスト１ファイル、テキスト２ファイル、テキスト３ファイルの同一レイアウトイメージを記載。
【００８３】
複数ファイルをファイル毎に識別する為にヘッタ部とデータ部に分かれている。
【００８４】
図１９に振り分けテーブルレイアウトイメージを記載。
【００８５】
国番号，県番号，市番号，パラメータ番号，シーケンス番号をキーとするＤＢである。入力のホームページ、テキストファイルが複数ある時、使用する  例としてハローワークは振り分けテーブルはあります。
【００８６】
図２０に読み飛ばしテーブルレイアウトイメージを記載。
【００８７】
国番号，県番号，市番号，パラメータ番号，振り分け番号、シーケンス番号をキーとするＤＢである。無意味なレコードを読み飛ばすテーブルです。指定すれば読み飛ばしテーブルで指定されたレコードは読み飛ばされて出力しない。
【００８８】
図２１に先頭識別テーブルレイアウトイメージを記載。  
【００８９】
国番号，県番号，市番号，パラメータ番号，振り分け番号、シーケンス番号をキーとするＤＢである。  ファイルの先頭を知れば処理が容易になる時、指定する（内部テーブルで使用する時は、有効）
【００９０】
図２２に読み飛ばし項目テーブルレイアウトイメージを記載。
【００９１】
パラメータ番号，シーケンス番号をキーとするＤＢである。入力ファイルのレコードの項目を読み飛ばし、したい時、読み飛ばし項目を設定して出力しない。
【００９２】
読み飛ばし項目テーブル（図２２）の例としてはskip項目（１）に”<BR>”を設定すると”<BR>”はｓｋｉｐして出力しない。
【００９３】
図２３に業務テーブルレイアウトイメージを記載。
【００９４】
業務番号をキーとするＤＢである。業務毎に業務番号をつけ、振り分けテーブルキー、読み飛ばしテーブルキー、先頭識別テーブルキーが格納されている。
【００９５】
図２４に項目変換テーブルレイアウトイメージを記載。
【００９６】
パラメータ番号，シーケンス番号をキーとするＤＢである。入力ファイルの項目を変換して変換後を使用すればプログラム処理が簡単になる項目を指定する。
【００９７】
図２５にコードテーブルレイアウトイメージを記載。
【００９８】
国番号，県番号，市番号，パラメータ番号，シーケンス番号をキーとするＤＢである。名称等が入っている。
【００９９】
図２６にロジックテーブルレイアウトイメージを記載。
【０１００】
国番号，県番号，市番号，パラメータ番号，シーケンス番号をキーとするＤＢである。プログラムロジックが格納されていて、ロジックテーブルでプログラムを制御する。
【０１０１】
ＵＲＬ，ｔｉｔｌｅ，ｈｔｔｐ，ｈｔｔｐ名、電話番号、ＩＰ-電話番号、ｆａｘ，ＩＰ−ｆａｘ，ｅｍａｉｌ，住所等を取得する組み合わせが格納されている。
【０１０２】
図３０に統合ファイルレイアウトイメージを記載。
【０１０３】
2種類のタイプがある。
【０１０４】
先頭識別テーブル無しのテキスト３ファイル（１１００)の時，結合ファイル（１１０１）のタイプで有る。
【０１０５】
一方  先頭識別テーブル有りのテキスト３ファイル（１１０２）の時、結合ファイル（１１０３）のタイプで有る。
【０１０６】
図２７にＵＲＬ格納テーブルレイアウトイメージを記載。
【０１０７】
ＵＲＬ格納テーブルはＵＲＬのｈｔｔｐをキーとするＤＢである。ＵＲＬのｔｉｔｌｅ名を取得したい時、使用し、何のＵＲＬかの識別に使用する。
【０１０８】
図３５にプリントテーブルレイアウトイメージを記載。
【０１０９】
国番号，県番号，市番号，パラメータ番号，シーケンス番号をキーとするＤＢである。
【０１１０】
内容（図３５の項２）には項目が設定されている。
【０１１１】
改行番号（図３５の項３）ＷはIT国家統一ホームページファイルを出力する。
【０１１２】
改行番号（図３５の項３）ＨはIT国家統一ホームページファイルのヘッタを設定する。
【０１１３】
改行番号（図３５の項３）ＪはIT国家統一ホームページファイルに出力しない。
【０１１４】
改行番号（図３５の項３）＆は項目の結合する。
【０１１５】
列番号（図３５の項４）はIT国家統一ホームページファイルの列番号に項目を設定する。
【０１１６】
図３３はＩＴ国家統一ホームページファイル（ｆａｘファイル、ＩＰ−ｆａｘファイル、ＩＰ電話番号ファイル、電話番号ファイル、ｅｍａｉｌファイル、住所ファイル、ｈｔｔｐファイル）のファイルレイアウトイメージを記載。  同一レイアウトである。
【０１１７】
なお，上記ＩＴ国家統一ホームページファイル（図３３）を分離したのは、処理を分り易くする為で、もちろん統合することも可能。
【０１１８】
図２８にｈｔｔｐ変換テーブルレイアウトイメージを記載。
【０１１９】
ｈｔｔｐをキーとするＤＢである。ｈｔｔｐを変換して変換後のｈｔｔｐを使用したい時、指定する。
【０１２０】
図４の本発明によるホームページ読込処理の詳細を説明する。
【０１２１】
ホームページ選択処理（１０１）で処理選択して、入力ファイルテーブル（図１７）で存在チェック後、ホームページ読込処理（１０２）で入力ファイルテーブル（図１７）を読み、フォルダ名（図１７の項６）とファイル名（図１７の７）を取得し、フォルダ単位にファイル名を読込みホームページかテキストファイルかの判定を行い、テキスト１ファイル（図１８）に出力する。
【０１２２】
なお  ファイルの識別の為にヘッタ部を付加してテキスト１ファイル（図１８）の最初の先頭レコードに出力する。図１８に記載。
【０１２３】
また  入力ファイルテーブル（図１７）の業務番号（図１７の項８）が入力されていれば、業務テーブル（図２３）を読み、レスポンスの関係上メモリに入力ファイルテーブル（図１７）と業務テーブル（図２３）はロードしておく。
【０１２４】
図５の本発明の振り分け処理の詳細を説明する。  
【０１２５】
振り分けテーブル（図１９）の振り分け項目は項目１（図１９の項８）、項目２（図１９の項９）だけですが、項目は５項目、有ればよろしいが、項目３から項目５は未使用です。
【０１２６】
図３２は振り分けテーブルに項目が設定されているハローワーク説明図である。ハローワークの応募のホームページには１ホームページで２種類の画面があるために、どちらの画面かを識別する必要が有り、振り分けテーブルの振り分け項目１（図１９の項８）、振り分け項目２（図１９の項９）に項目を設定しておく必要が有る。
【０１２７】
業務テーブル（図２３）の振り分けテーブルキーが入力されている時、振り分けテーブルキーで振り分けテーブル（図１９）を読み、振り分け項目１（図１９の項８）、振り分け項目２（図１９の項９）を取得しておく。
【０１２８】
テキスト１ファイル（図１８）を全て読み、内部テーブルに全て格納しておき、テキスト1ファイル（図１８）を読み終えたら、振り分け項目１（図１９の項８）  または  振り分け項目２（図１９の項９）で内部テーブルをどちらの画面かを判定して、振り分け番号を取得して、テキスト２ファイル（図１８）に出力する。振り分け番号とは振り分け項目１（図１９の項８）の項目を使用する時は、１となる。振り分け項目２（図１９の項９）の項目を使用する時は、２となる。
【０１２９】
図６の本発明に読み飛ばし処理の詳細を説明する。
【０１３０】
業務テーブル（図２３）の読み飛ばしテーブルキーが入力されている時、読み飛ばしテーブルキーで読み飛ばしテーブル（図２０）を読み、読み飛ばし項目を取得しておく。
【０１３１】
読み飛ばし項目とは先頭から（図２０の項７）、から終了（図２０の項８）、読み飛ばしレコード（図２０の項９）である。
【０１３２】
業務テーブル（図２３）の先頭識別テーブルキーが入力されている時、業務テーブル（図２３）の先頭識別テーブルキーで先頭識別テーブル（図２１）を読み、先頭識別レコードを取得しておく。
【０１３３】
なおキーの振り分け番号とは上記の振り分け処理で求めた番号である。テキスト２ファイル（図１８）を読み、無意味なレコードレコードは読み飛ばす（読み飛ばしテーブルで指定）。以外はテキスト２ファイル（図１８）に出力する。
【０１３４】
なお  テキスト２ファイル（図１８）のレコードの項目が項目変換テーブル（図２４）にある時は、変換後名前（図２４の３）で項目を置き換えてテキスト２ファイル（図１８）に出力する。
【０１３５】
また  先頭識別レコード（図２１の項７）を指定すれば、複数ヘッターが出力され処理される。（次の処理で内部テーブル処理を行う時、有効である）
【０１３６】
図３１は先頭識別テーブル（図２１）と入力ファイル（テキスト２ファイル（図１８））と出力ファイル（テキスト３ファイル（図１８））の関係図である。
【０１３７】
図３１の説明です。
【０１３８】
テキスト２ファイル（１２０１）の振り分け番号と入力ファイルテーブルのキー（１２０２）で先頭識別テーブル（１２００）を読み、存在すれば先頭識別レコード（１２０４）でテキスト３ファイル（１２０５）に出力する。  一方存在しない時、テキスト３ファイル（１２０６）に出力する。
【０１３９】
図７の本発明の結合処理（１０５）の詳細を説明する。
【０１４０】
テキスト３ファイル（図１８）を読み、処理を単純にするためにレコードを結合して、結合ファイル（図３０）に出力する。
【０１４１】
結合する条件は図３０、図３１に記載。
【０１４２】
図８本発明のファイル編集処理の詳細を説明する。
【０１４３】
図３３は出力ファイルのＩＴ国家統一ホームページファイルレイアウトイメージである。
【０１４４】
図３４は出力ファイルのＩＴ国家統一ホームページファイルの電話番号ファイルの更新例の説明図である。なお  ＩＴ国家統一ホームページファイルは電話番号以外は同じ処理で、分りやすくする為に分割しております。  例としてｆａｘの時は、電話番号をｆａｘに変える。
【０１４５】
ＩＴ国家統一ホームページファイルの出力項目は図３４に合わせて出力する
【０１４６】
本処理前にロジックテーブルを図２６の使用例の説明図である。
【０１４７】
キー（１０００）に設定する。県番号は機能毎に変える。機能が同じの時、パラメータ番号のみ変えるように設定する。
【０１４８】
処理名（１００１）は分りやすくする為の名称である。
【０１４９】
条件１エリア（１００２）と条件２エリア（１００６）と条件３エリア（１００７）は同じ機能である、条件１エリア（１００２）を説明すればおのずから条件２エリア（１００６）と条件３エリア（１００７）は同じである。
【０１５０】
機能１（１００３）の機能１にはｆｒｏｍ（から）、ｔｏ（まで）、ｕｐｄａｔｅ（項目置換え）等があります。
【０１５１】
条件１Ａ（１００４Ａ）は”＝”、は条件１（１００４）がマッチする条件が設定されている。
【０１５２】
条件１（１００４）の条件１の機能には機能１（１００３）の条件が設定されている。
【０１５３】
進む桁１（１００５）の機能には条件１（１００４）の桁数を前後する桁が設定されている。
【０１５４】
項番３のｔｉｔｌｅを取得するには、条件１（１００４）の<TITLE>から条件２エリア（１００６）の条件２の</TITLE>までの間の名称をｔｉｔｌｅ名とする。
【０１５５】
ｈｔｔｐファイル出力処理を行う。
【０１５６】
結合ファイル（図３０）を読み、終わりまで下記のｈｔｔｐファイル出力処理を行う。
１．キー集団（１３００の項番１）の国番号、県番号、市番号は入力ファイルテーブル（図１７）の国番号、県番号、市番号のキーを設定する。
２．キー集団（１３００の項番１）のパラメータ番号は１（ｈｔｔｐファイル）を設定する。
３．ｔｉｔｌｅ名（１３０１の項番1）にｔｉｔｌｅを設定する。
４．内容（１３０２の項番１）にＵＲＬのｈｔｔｐを設定する。
５．改行番号（１３０３の項番１）を設定する。
６．列番号（１３０４の項番１）を設定する。
７．キー集団（１３００の項番２）の国番号、県番号、市番号は入力ファイルテーブル（図１７）の国番号、県番号、市番号のキーを設定する。
８．キー集団（１３００の項番２）のパラメータ番号は１（ｈｔｔｐファイル）を設定する。
９．ｔｉｔｌｅ名（１３０１の項番２）に上記ｔｉｔｌｅ名設定する、
１０．内容（１３０１の項番２）に上記ｔｉｔｌｅ名設定する、
１１．改行番号（１３０３の項番２）を設定する。
１２．列番号（１３０４の項番２）を設定する。
１３．なお  ｔｉｔｌｅ名が取得できない時  または  分りにくい時は、コードテーブル（図２５）より取得する
１４．ＵＲＬ格納テーブル（図２７）を更新する。
【０１５７】
結合ファイル（図３０）の相対レングス  ＞  結合ファイル（図３０）レコードの最大レングスになるまで繰返す。
なお  上記の結合ファイル（図３０）の相対レングスとは下記項目毎に加算されるレングス。
１．業務テーブル（図２３）の先頭出力項目のｈｔｔｐ出力項目（デフォルトはｈｔｔｐ：//）と入力ファイルの項目とイコールの時、ｈｔｔｐファイル（ＩＴ国家統一ホームページファイル）に出力する。
２．キー集団（１３００の項番３）の国番号、県番号、市番号は入力ファイルテーブル（図１７）の国番号、県番号、市番号のキーを設定する。
３．キー集団（１３００の項番３）のパラメータ番号は１（ｈｔｔｐファイル）を設定する。
４．ｔｉｔｌｅ名（１３０１の項番３）に上記ｔｉｔｌｅ名設定する、
５．内容（１３０２の項番３）にｈｔｔｐを設定する
６．改行番号（１３０３の項番３）を設定する。
７．列番号（１３０４の項番３）を設定する。
８．キー集団（１３００の項番４）の国番号、県番号、市番号は入力ファイルテーブル（図１７）の国番号、県番号、市番号のキーを設定する。
９．キー集団（１３００の項番４）のパラメータ番号は１（ｈｔｔｐファイル）を設定する。
１０．ｔｉｔｌｅ名（１３０１の項番４）に上記ｔｉｔｌｅ名設定する、
１１．内容（１３０２の項番４）にｈｔｔｐ名を設定する。
１２．改行番号（１３０３の項番４）を設定する。
１３．列番号（１３０４の項番４）を設定する。
１４．なお  取得項目はロジックテーブル（図２６）で行う。
１５．また  取得した上記項目に読み飛ばし項目テーブル（図２２）のｓｋｉｐ項目（添字）が有れば、ｓｋｉｐして項目は出力しない。
１６．また  上記項目のｈｔｔｐ項目がｈｔｔｐ変換テーブル（図２８）に有れば、ｈｔｔｐ変換テーブル（図２８）の変換後ｈｔｔｐ（図２８の２）に変換して、ｈｔｔｐを出力する。
１７．終了の時、業務テーブル（図２３）のデータ部のパラメータ番号のｈｔｔｐファイル作成（図２３の項６）を作成済に更新する。
【０１５８】
電話番号ファイル出力処理を行う。
【０１５９】
結合ファイル（図３０）を読み、終わりまで下記の電話番号ファイル出力処理を行う。
１．キー集団（１３００の項番１）の国番号、県番号、市番号は入力ファイルテーブル（図１７）の国番号、県番号、市番号のキーを設定する。
２．キー集団（１３００の項番１）のパラメータ番号は３（電話番号ファイル）を設定する。
３．ｔｉｔｌｅ名（１３０１の項番1）にｔｉｔｌｅを設定する。
４．内容（１３０２の項番１）にＵＲＬのｈｔｔｐを設定する。
５．改行番号（１３０３の項番１）を設定する。
６．列番号（１３０４の項番１）を設定する。
７．キー集団（１３００の項番２）の国番号、県番号、市番号は入力ファイルテーブル（図１７）の国番号、県番号、市番号のキーを設定する。
８．キー集団（１３００の項番２）のパラメータ番号は３（電話番号ファイル）を設定する。
９．ｔｉｔｌｅ名（１３０１の項番２）に上記ｔｉｔｌｅ名設定する、
１０．内容（１３０１の項番２）に上記ｔｉｔｌｅ名設定する、
１１．改行番号（１３０３の項番２）を設定する。
１２．列番号（１３０４の項番２）を設定する。
１３．なお  ｔｉｔｌｅ名が取得できない時  または  分りにくい時は、コードテーブル（図２５）より取得する
１４．ＵＲＬ格納テーブル（図２７）を更新する。
【０１６０】
結合ファイル（図３０）の相対レングス  ＞  結合ファイル（図３０）レコードの最大レングスになるまで繰返す。
なお  上記の結合ファイル（図３０）の相対レングスとは下記項目毎に加算されるレングス。
１．業務テーブル（図２３）の先頭出力項目のｈｔｔｐ出力項目（デフォルトはｈｔｔｐ：//）と入力ファイルの項目とイコールの時、ｈｔｔｐファイル（ＩＴ国家統一ホームページファイル）に出力する。
２．キー集団（１３００の項番３）の国番号、県番号、市番号は入力ファイルテーブル（図１７）の国番号、県番号、市番号のキーを設定する。
３．キー集団（１３００の項番３）のパラメータ番号は３（電話番号ファイル）を設定する。
４．ｔｉｔｌｅ名（１３０１の項番３）に上記ｔｉｔｌｅ名設定する、
５．内容（１３０２の項番３）にｈｔｔｐを設定する
６．改行番号（１３０３の項番３）を設定する。
７．列番号（１３０４の項番３）を設定する。
８．キー集団（１３００の項番４）の国番号、県番号、市番号は入力ファイルテーブル（図１７）の国番号、県番号、市番号のキーを設定する。
９．キー集団（１３００の項番４）のパラメータ番号は３（電話番号ファイル）を設定する。
１０．ｔｉｔｌｅ名（１３０１の項番４）に上記ｔｉｔｌｅ名設定する、
１１．内容（１３０２の項番４）にｈｔｔｐ名を設定する。
１２．改行番号（１３０３の項番４）を設定する。
１３．列番号（１３０４の項番４）を設定する。
１４．キー集団（１３００の項番５）の国番号、県番号、市番号は入力ファイルテーブル（図１７）の国番号、県番号、市番号のキーを設定する。
１５．キー集団（１３００の項番５）のパラメータ番号は３（電話番号ファイル）を設定する。
１６．ｔｉｔｌｅ名（１３０１の項番５）に上記ｔｉｔｌｅ名設定する、
１７．内容（１３０２の項番５）に電話番号を設定する
１８．改行番号（１３０３の項番５）を設定する。
１９．列番号（１３０４の項番５）を設定する。
２０．なお  取得項目はロジックテーブル（図２６）で行う。
２１．また  取得した上記項目に読み飛ばし項目テーブル（図２２）のｓｋｉｐ項目（添字）が有れば、ｓｋｉｐして項目は出力しない。
２２．また  上記項目のｈｔｔｐ項目がｈｔｔｐ変換テーブル（図２８）に有れば、ｈｔｔｐ変換テーブル（図２８）の変換後ｈｔｔｐ（図２８の２）に変換して、ｈｔｔｐを出力する。
２３．終了の時、業務テーブル（図２３）のデータ部のパラメータ番号の電話番号ファイル作成（図２３の項９）を作成済に更新する。
【０１６１】
以下  上記の電話番号を下記の処理項目に変えて出力処理を行う。
【０１６２】
また  終了の時、業務テーブル（図２３）のデータ部のパラメータ番号の電話番号ファイル作成（図２３の項９）を作成済に更新するが、処理した名前に変わります。。
【０１６３】
ＩＰ電話番号ファイル出力処理を行う。
【０１６４】
ｆａｘファイル出力処理を行う。
【０１６５】
ＩＰ−ｆａｘファイル出力処理を行う。
【０１６６】
ｅｍａｉｌファイル出力処理を行う。
【０１６７】
住所ファイル出力処理を行う。
【０１６８】
なお  ＩＴ国家統一ホームページファイルを作成せずに直接にプリントテーブル（図３５）を更新も、もちろん可能。しなわち  プリントテーブル作成処理（１０９）を行う。
【０１６９】
また  上記処理を統合することも、もちろん可能。
【０１７０】
また  分りやすくする為に上記の処理を分けている。
【０１７１】
また  もちろん上記項目に限定されずに、抽出したい項目、例えば郵便番号等もできる。
【０１７２】
図９の本発明のプリントテーブル作成処理の詳細を説明する。
【０１７３】
選択した業務テーブル（図２３）でＩＴ国家統一ホームページファイル（図３３）を読み、プリントテーブル（図３５）を更新する。
【０１７４】
図１２の本発明のｈｔｔｐ変換テーブル作成処理の詳細を説明する。  
【０１７５】
ファイル編集処理（１０６）で作成したｈｔｔｐファイル（図３４）を読んで、変換するｈｔｔｐを入力して、ｈｔｔｐ変換テーブル（図２８）を更新する。
【０１７６】
例として図２９に記載。
【０１７７】
図１１の本発明の郵便番号テーブル作成処理の詳細を説明する。
【０１７８】
ファイル編集処理（１０６）で統合ファイルの郵便番号のホームページを読み、郵便番号テーブルを作成する。
【０１７９】
図１４は、本発明のＩＴ国家通信網の概要の説明図である。
【０１８０】
同図に示すように，本システムは入力ファイルとしてプリントテーブル（図３５）として，外部テーブルとして郵便番号テーブル，業務テーブル（図２３）、ＵＲＬテーブル（図３７），出力ファイル（テキストファイル）として，ＩＴ国家通信網ｆｉｌｅ（図３６）を有している。
【０１８１】
なお  上記処理前に郵便番号テーブルは作成しておく。図１１に記載
【０１８２】
なお，本実施例に係わらず，キー１は国番号，キー２は県番号，キー３は市番号，キー４はパラメータ番号，キー５はシーケンス番号として説明し、入力はプリントテーブル（ＤＢ）として説明する。
【０１８３】
また，本実施例に係わらず，外部テーブル（ＤＢ）として、プリントテーブル（図３５）、ｈｔｔｐ変換テーブル（図２８），業務テーブル（図２３），郵便番号テーブル，ＵＲＬテーブル（図３７）とし，出力ファイル（テキストファイル  全て同一フォーマット）として，ＩＴ国家通信網ｆｉｌｅ（図３６）を有している。出力ファイルを同一フォーマットで個々に分割したのは、分りやすくする為で１ファイル統合しても、かまわない。
【０１８４】
図１５は、本発明のＩＴ国家通信網プロセスフローの概要の説明図である。
【０１８５】
図１４を図１５に分割したのは（プログラム分割）分りやすくする為で、統合して１システムにすることも可能。
【０１８６】
図１５の本発明によるプロセスフローを説明する。  
【０１８７】
本システムの入出力ファイルレイアウイメージの説明である。
【０１８８】
図３６にＩＴ国家通信網ｆｉｌｅ（ｆａｘｆｉｌｅ、ＩＰ−ｆａｘｆｉｌｅ，ＩＰ電話番号ｆｉｌｅ，電話番号ｆｉｌｅ、ｅｍａｉｌｆｉｌｅ，住所ｆｌｅ）のファイルレイアウトイメージを記載。（同一レイアウトでテキストファイルである）
【０１８９】
図３７にＵＲＬテーブルファイルレイアウトイメージを記載。
【０１９０】
なお  ＩＰ電話番号テーブル、電話番号テーブル、ｆａｘテーブル，ＩＰ−ｆａｘテーブル、ｅｍａｉｌテーブル，会員テーブル、住所テーブルを連絡テーブルといいます。ファイルレイアウトイメージも図３７に記載。
【０１９１】
図１５の本発明によるＩＴ国家ｆｉｌｅ作成処理（２０１）の詳細を説明する。
【０１９２】
選択した業務テーブル（図２３）でプリントテーブル（図３５）を読み、業務テーブル（図２３）のパラメータ番号でファイル判定して、出力ファイルのＩＴ国家通信網ｆｉｌｅ（図３６）に出力する。  
【０１９３】
法人・個人区分（図３６の項１３）はｈｔｔｐから取得する。  
【０１９４】
図１５の本発明によるＵＲＬテーブル作成処理（２０２）の詳細を説明する。
【０１９５】
入力のＩＴ国家通信網ｆｉｌｅ（図３６）を読み、ＵＲＬテーブル（図３７）を更新する。入力のＩＴ国家通信網ｆｉｌｅ（図３６）の郵便番号が未入力の時、郵便番号テーブルを読み、郵便番号も付加する。
【０１９６】
図１５の本発明による採番処理（２０３）の詳細を説明する。
【０１９７】
ＵＲＬテーブル（図３７）を読み、採番テーブル（図４４）の会員番号を＋１して、法人、個人を識別し、ＵＲＬテーブル（図３７）の会員番号、採番テーブル（図４４）の個人番号、法人番号を更新する。なお  個人、法人を分けたのは解りやすくするためであり、統一しても、別にかまわない。
【０１９８】
なお  ＵＲＬテーブルを更新する時、同時に連絡テーブル（図３７）（ＩＰ電話番号テーブル、電話番号テーブル、ｆａｘテーブル，ＩＰ−ｆａｘテーブル、ｅｍａｉｌテーブル，会員テーブル、住所テーブル）も更新する。
【０１９９】
図１６は、本発明のＩＴ国家ホームページの概要の説明図である。
同図に示すように，本システムは入力ファイルとしてファイル編集処理（１０６）で作成したＵＲ格納Ｌテーブル（図２７），IT国家通信網（２００）で作成したＵＲＬテーブル（図３７）を使用して、サブメニュー等を作り、自由自在にＩＴ国家ホームページを作成して、IT国家統一ホームページ公開（４００）を行う。
同図に示すように，本システムは入力ファイルとしてファイル編集処理（１０６）で作成したＵＲ格納Ｌテーブル（図２７），IT国家通信網（２００）で作成したＵＲＬテーブル（図３７）を使用して、サブメニュー等を作り、自由自在にＩＴ国家ホームページを作成して、IT国家統一ホームページ公開（４００）を行う。
【０２００】
以上説明した本発明の国家論  世界統一ホームページは全てのホームページに適用することができる。
【０２０１】
以上、本発明の国家論  世界統一ホームページ、及び該国家論  世界統一ホームページを用いたシステム開発方法並びにシステムの一実施の形態について詳細に説明したが、本発明は、前記実施の形態に限定されず、本発明の要旨を逸脱しない範囲で種々変更しても差し支えない。
【０２０２】
なお  ＤＢのキーは、主に国番号、県番号、市番号、パラメータ番号、シーケンス番号を使用しているがユニークで分りやすいようにしているのであって、本発明の要旨を逸脱しない範囲で種々変更しても差し支えない。
【図面の簡単な説明】
【０２０３】
【図１】国家論  世界統一ホームページの概要説明図である。
【図２】ＩＴ国家統一ホームページの概要説明図である。
【図３】ＩＴ国家統一ホームページのプロセスフロー説明図である。
【図４】ホームページ読込処理の詳細図である。
【図５】振り分け処理の詳細図である。
【図６】読み飛ばし処理の詳細図である。
【図７】結合処理の詳細図である。
【図８】ファイル編集処理の詳細図である。
【図９】プリントテーブル作成処理の詳細図である。
【図１０】入力ファイルテーブル作成処理の詳細図である。
【図１１】郵便番号テーブル作成処理の説明図である。
【図１２】ｈｔｔｐ変換テーブル作成処理の説明図である。
【図１３】業務テーブル作成処理の説明図である。
【図１４】ＩＴ国家通信網の概要説明図である。
【図１５】ＩＴ国家通信網のプロセスフロー説明図である。
【図１６】ＩＴ国家ホームページ作成の概要説明図である。
【図１７】入力ファイルテーブルのレイアウトイメージ図である。
【図１８】テキスト１ファイル、テキスト２ファイル、テキスト３ファイル同一レイアウトイメージ図である。
【図１９】振り分けテーブルのレイアウトイメージ図である。
【図２０】読み飛ばしテーブルのレイアウトイメージ図である。
【図２１】先頭識別テーブルのレイアウトイメージ図である。
【図２２】読み飛ばし項目テーブルのレイアウトイメージ図である。
【図２３】業務テーブルのレイアウトイメージ図である。
【図２４】項目変換テーブルのレイアウトイメージ図である。
【図２５】コードテーブルのレイアウトイメージ図である。
【図２６】ロジックテーブルのレイアウトイメージ図である。
【図２７】ＵＲＬ格納テーブルのレイアウトイメージ図である。
【図２８】ｈｔｔｐ変換テーブルのレイアウトイメージ図である。
【図２９】ｈｔｔｐ変換テーブルの使用例の説明図である。
【図３０】結合ファイルのレイアウトイメージ図である。
【図３１】先頭識別テーブルと入力ファイル（テキスト２ファイル）と出力ファイル（テキスト３ファイル）の関係図である。
【図３２】振り分けテーブルの使用例の説明図である。
【図３３】ＩＴ国家統一ホームページファイルのレイアウトイメージ図である。
【図３４】ＩＴ国家統一ホームページファイルの更新例の説明図である。
【図３５】プリントテーブルのレイアウトイメージ図である。
【図３６】ＩＴ国家通信網ｆｉｌｅ（ｆａｘｆｉｌｅ、ＩＰ−ｆａｘｆｉｌｅ、ＩＰ電話番号ｆｉｌｅ、電話番号ｆｉｌｅ、ｅｍａｉｌｆｉｌｅ、住所ｆｉｌｅ）のレイアウトイメージ図である。
【図３７】ＵＲＬテーブル，連絡テーブル（ＩＰ電話番号テーブル、電話番号テーブル、ｆａｘテーブル，ＩＰ−ｆａｘテーブル、ｅｍａｉｌテーブル，会員テーブル、住所テーブル）のレイアウトイメージ図である。
【図３８】採番テーブルのレイアウトイメージ図である。
【符号の説明】
【０２０４】
Ｓ１０：ＩＴ国家統一ホームページ
Ｓ２０：ＩＴ国家通信網
Ｓ３０：ＩＴ国家ホームページ作成
Ｓ４０：ＩＴ国家ホームページ公開
Ｓ５０：インターネットソフト開発
１００：ＩＴ国家統一ホームページ
１００ａ：インターネットソフト開発
１００ｂ：プリントテーブル作成
Ｓ１０１：ホームページ選択処理
Ｓ１０２：ホームページ読込処理
Ｓ１０３：振り分け処理
Ｓ１０４：読み飛ばし処理
Ｓ１０５：結合処理
Ｓ１０６：ファイル編集処理
Ｓ１０７：プリントテーブルを作成か
Ｓ１００ａ：プリントテーブル作成
Ｓ１００ｂ：インターネットソフト開発
１０１：ホームページ選択処理
１０２：ホームページ読込処理
１０３：振り分け処理
１０４：読み飛ばし処理
１０５：結合処理
１０６：ファイル編集処理
１０００ａ：プリントテーブル作成
１１１：入力ファイルテーブル作成処理
１１２：郵便番号テーブル作成処理
１１３：ｈｔｔｐ変換テーブル作成処理
１１４：業務テーブル作成処理
２００：ＩＴ国家通信網作成処理
２０１：ＩＴ国家通信網ｆｉｌｅ作成処理
２０２：ＵＲＬテーブル作成処理
２０３：採番処理
３００：ＩＴ国家ホームページ作成
４００：ＩＴ国家ホームページ公開
１０００：ロジックテーブルのキー（国番号、県番号、市番号、パラメータ番号、シーケンス番号）
１００１：処理名
１００２：条件１エリア
１００３：機能１
１００４Ａ：条件１Ａ
１００４Ｂ：出力条件１
１００４：条件１
１００５：進む桁１
１００６：条件２エリア
１００７：条件３エリア
１１００：先頭識別テーブル無し
１１０１：結合ファイル
１１０２：先頭識別テーブル有り
１１０３：結合ファイル
１２００：先頭識別テーブル
１２０１：テキスト２ファイル
１２０２：入力ファイルテーブルのキー
１２０３：振り分け番号
１２０４：先頭識別テーブル有り
１２０５：テキスト３ファイル（先頭識別テーブル有り）
１２０６：テキスト３ファイル（先頭識別テーブル無し）
１３００：ＩＴ国家コントロールテーブルのキー集団（国番号、県番号、市番号、パラメータ番号）
１３０１：ｔｉｔｌｅ名
１３０２：内容
１３０３：改行番号
１３０４：列
【図１】
2008003903.tif 000003
【図２】
2008003903.tif 000004
【図３】
2008003903.tif 000005
【図４】
2008003903.tif 000006
【図５】
2008003903.tif 000007
【図６】
2008003903.tif 000008
【図７】
2008003903.tif 000009
【図８】
2008003903.tif 000010
【図９】
2008003903.tif 000011
【図１０】
2008003903.tif 000012
【図１１】
2008003903.tif 000013
【図１２】
2008003903.tif 000014
【図１３】
2008003903.tif 000015
【図１４】
2008003903.tif 000016
【図１５】
2008003903.tif 000017
【図１６】
2008003903.tif 000018
【図１７】
2008003903.tif 000019
【図１８】
2008003903.tif 000020
【図１９】
2008003903.tif 000021
【図２０】
2008003903.tif 000022
【図２１】
2008003903.tif 000023
【図２２】
2008003903.tif 000024
【図２３】
2008003903.tif 000025
【図２４】
2008003903.tif 000026
【図２５】
2008003903.tif 000027
【図２６】
2008003903.tif 000028
【図２７】
2008003903.tif 000029
【図２８】
2008003903.tif 000030
【図２９】
2008003903.tif 000031
【図３０】
2008003903.tif 000032
【図３１】
2008003903.tif 000033
【図３２】
2008003903.tif 000034
【図３３】
2008003903.tif 000035
【図３４】
2008003903.tif 000036
【図３５】
2008003903.tif 000037
【図３６】
2008003903.tif 000038
【図３７】
2008003903.tif 000039
【図３８】
2008003903.tif 000040